(57)【要約】【課題】海底などに生息しているナマコやサザエなどの獲物の捕獲に好適な釣り具を提供する。【解決手段】この釣り具１は、餌を付けずに水底に生息する獲物２を傘針１３に引っ掛けて釣るものであって、この傘針１３を、４本の可撓性を有する棒状部材１２の先端側に、その針先が折り返されて斜め後方に向くようにしてそれぞれ取り付けるとともに、棒状部材１２を、錘１１に取り付けて漸次に拡開させたときに、傘針１３の針先の少なくとも一部が内側に向くように構成している。【選択図】図１
2011239751.tif 000002
【特許請求の範囲】
【請求項１】
餌を付けずに水底に生息する獲物を針体に引っ掛けて釣る釣り具において、
前記針体を、複数本の可撓性を有する棒状部材の先端側に該針体が斜め後方に向くようにしてそれぞれ取り付けるとともに、
前記棒状部材を、所定の取付部材に取り付けて漸次に拡開させたときに、前記針体が少なくとも内側に向くようになしたことを特徴とする釣り具。
【請求項２】
前記棒状部材の拡開角度が調整可能であることを特徴とする請求項１記載の釣り具。
【請求項３】
前記針体は傘針であって、該傘針を前記棒状部材の長手方向に多重に取り付けたことを特徴とする請求項１又は２記載の釣り具。
【請求項４】
前記棒状部材は４本であって、該棒状部材をその先端が仮想の正方形の各隅部となるように配置したことを特徴とする請求項１〜３のいずれか１項に記載の釣り具。
【請求項５】
前記取付部材は錘であって、該錘を釣り糸を介して長尺の竿状部材の先端から繰り出し自在に取り付けたことを特徴とする請求項１〜４のいずれか１項に記載の釣り具。
【請求項６】
前記取付部材を、長尺の竿状部材の先端に直接取り付けたことを特徴とする請求項１〜４のいずれか１項に記載の釣り具。
【発明の詳細な説明】
【技術分野】
【０００１】
本発明は、ナマコやサザエなどの捕獲に使用できる釣り具に関するものである。
【背景技術】
【０００２】
餌を付けずに魚等を針に引っ掛けて釣る釣り具としては、「ボラ掛け」、「ハゲ掛け」、「鮎の引っ掛け釣り」という名称の製品が販売されている。
【０００３】
例えば、「ボラ掛け」は、単純に大きな３本針を釣り糸の末端に取り付け、魚の下から勢いよく引っ掛けて釣るものである。「ハゲ掛け」は、放射状に広がった複数本の針金の各先端に針が外向きに取り付けられており、引っ掛かる領域を広くしたものである。「鮎の引っ掛け釣り」は、釣り糸に連続して針を付けた仕掛けを流れの中に転がして、鮎が引っ掛かって釣れるものである。これらは、いずれも海底などに生息しているナマコやサザエなどを釣ることを目的としたものではない。
【０００４】
そこで、特許文献１では、素早く泳ぐ魚、海底などにへばりついている魚やナマコ、表面が滑りやすく針が引っ掛かりにくいイカ、カニなど、あらゆるものを引っ掛けることのできる、釣り糸の末端に取り付けられる釣り具であって、板状の翼の重心よりも端部に錘を取り付け、前記翼の面よりも厚み方法に延長した場所に前記釣り糸の末端を結合する結合部を設けた釣り具が開示されている。
【０００５】
ここでは、釣り糸の近くに魚が近づいた場合、釣り糸を強く引っ張ると、釣り具は魚の下に回りこむように飛行し、釣り針も釣り具に引っ張られて魚の下に回りこみながら釣り糸のライン方向に引っ張られる。これにより、魚の胴体に釣り針が引っかかりやすくなると記載されている。
【発明の概要】
【発明が解決しようとする課題】
【０００６】
しかしながら、海底などにへばりついているナマコは、自ら釣り糸に近づくことはないから、前記特許文献１のように、釣り糸の近くにナマコが近づいた場合、釣り糸を強く引っ張ると、釣り具はナマコの下に回りこむように飛行し、釣り針も釣り具に引っ張られてナマコの下に回りこみながら釣り糸のライン方向に引っ張られることにより、ナマコの胴体に釣り針が引っかかりやすくなるといったことは考えにくい。また、サザエは硬い殻に覆われているから、サザエの胴体に釣針が引っ掛かりやすくなるといったことも考えにくい。
【０００７】
本発明は、上記事情に鑑みたものであり、その目的とするところは、海底などに生息しているナマコやサザエなどの獲物の捕獲に好適な釣り具を提供することである。
【課題を解決するための手段】
【０００８】
本発明は、餌を付けずに水底に生息する獲物を針体に引っ掛けて釣る釣り具において、前記針体を、複数本の可撓性を有する棒状部材の先端側に該針体が斜め後方に向くようにしてそれぞれ取り付けるとともに、前記棒状部材を、所定の取付部材に取り付けて漸次に拡開させたときに、前記針体が少なくとも内側に向くようになしたことを特徴とするものである。
【０００９】
本発明によれば、前記針体を、複数本の可撓性を有する棒状部材の先端側に該針体が斜め後方に向くようにしてそれぞれ取り付けるとともに、前記棒状部材を、所定の取付部材に取り付けて漸次に拡開させたときに、前記針体が少なくとも内側に向くようになしたので、海底などに生息しているナマコやサザエなどの獲物に狙いをつけておき、当該釣り具で獲物を上側から押圧すると、取付部材まわりで棒状部材がさらに広がって獲物を針体で抱え込むようになる。このとき、針体は上向きとなっているので、獲物の捕獲を阻害することはない。このようにして、獲物を簡単かつ確実に捕獲することができる。
【００１０】
また、獲物を棒状部材で抱え込んだ状態で釣り具を引き上げると、針体が獲物に引っ掛かり、獲物が脱落することがない（この場合、獲物が針体で傷つくことはほとんどないといえる）。そして、捕獲した獲物を陸に引き上げた後、釣り具に適当な衝撃力を与えるだけで獲物を針体からばらして簡単に取り除くことができる。このようにして、獲物に手を触れることなく、獲物を釣り具から簡単に外すことができるので、便利である。
【００１１】
請求項２記載の発明のように、前記棒状部材の拡開角度が調整可能であることが好ましい。
【００１２】
請求項２記載の発明によれば、前記棒状部材の拡開角度が調整可能であるので、狙った獲物の外形寸法に応じて当該角度を調整することで、さまざまな獲物を捕獲することができて便利である。
【００１３】
請求項３記載の発明のように、前記針体は傘針であって、該傘針を前記棒状部材の長手方向に多重に取り付けることが好ましい。
【００１４】
請求項３記載の発明によれば、前記針体は傘針であって、該傘針を前記棒状部材の長手方向に多重に取り付けたので、棒状部材がねじって取り付けられたとしても常に針体のいくつかが内側に向かうこととなり、釣り具の製作が容易となる。また、傘針を多重にしたことで、獲物をより確実に捕獲することができる。
【００１５】
請求項４記載の発明は、前記棒状部材は４本であって、該棒状部材をその先端が仮想の正方形の各隅部となるように配置することが好ましい。
【００１６】
請求項４記載の発明によれば、前記棒状部材は４本であって、該棒状部材をその先端が仮想の正方形の各隅部となるように配置したので、前後・左右のいずれかの向きに向いた獲物であっても、その獲物を棒状部材の針体で包み込むようにして確実に捕獲することができる。特に獲物としてのナマコは一旦取り逃がすと、二度と捕獲することができないという性質を持っているから、いかに確実に捕獲するかで、その捕獲量が大きく影響される。なお、ナマコは海底にはりついているので、上下の向きを考慮する必要はない。
【００１７】
請求項５記載の発明のように、前記取付部材は錘であって、該錘を釣り糸を介して長尺の竿状部材の先端付近から繰り出し自在に取り付けることが好ましい。
【００１８】
請求項５記載の発明のように、前記取付部材は錘であって、該錘を釣り糸を介して長尺の竿状部材の先端付近から繰り出し自在に取り付けたので、使用者が例えば一般の釣り人である場合には、一般的な釣りの感覚でもって、かかる獲物を楽しみながら捕獲することができる。
【００１９】
請求項６記載の発明のように、前記取付部材を、長尺の竿状部材の先端に直接取り付けることが好ましい。
【００２０】
請求項６記載の発明によれば、前記取付部材を、長尺の竿状部材の先端に直接取り付けたので、使用者が例えば漁師である場合には、かかる獲物を効率的に捕獲することができる。
【発明の効果】
【００２１】
本発明によれば、前記針体を、複数本の可撓性を有する棒状部材の先端側に該針体が斜め後方に向くようにしてそれぞれ取り付けるとともに、前記棒状部材を、所定の取付部材に取り付けて漸次に拡開させたときに、前記針体が少なくとも内側に向くようになしたので、海底などに生息しているナマコやサザエなどの獲物に狙いをつけておき、当該釣り具で獲物を上側から押圧すると、取付部材まわりで棒状部材がさらに広がって獲物を針体で抱え込むようになる。このとき、針体は上向きとなっているので、獲物の捕獲を阻害することはない。このようにして、獲物を簡単かつ確実に捕獲することができる。
【００２２】
また、獲物を棒状部材で抱え込んだ状態で釣り具を引き上げると、針体が獲物に引っ掛かり、獲物が脱落することがない（この場合、獲物が針体で傷つくことはほとんどないといえる）。そして、捕獲した獲物を陸に引き上げた後、釣り具に適当な衝撃力を与えるだけで獲物を針体からばらして簡単に取り除くことができる。このようにして、獲物に手を触れることなく、獲物を釣り具から簡単に外すことができるので、便利である。
【図面の簡単な説明】
【００２３】
【図１】本発明の実施形態１に係る釣り具で獲物を釣り上げたときの状態を示す斜視図である。
【図２】本実施形態１に係る釣り具を釣り竿に釣り糸を介して取り付けた状態を示す説明図である。
【図３】本実施形態１に係る釣り具で獲物を釣り上げる前の状態を示す正面図である。
【図４】本実施形態１に係る釣り具で獲物を釣り上げたときの状態を示す正面図である。
【図５】本実施形態２に係る釣り具を竹竿の先端に直接取り付けた状態を示す説明図である。
【発明を実施するための形態】
【００２４】
（実施形態１）
図１は本発明の実施形態１に係る釣り具１で獲物を釣り上げたときの状態を示す斜視図、図２は本実施形態１に係る釣り具１を釣り竿３に釣り糸３１を介して取り付けた状態を示す説明図である。なお、以下では、各図中の紙面に沿った上下方向などをそのまま用いて、各要素の位置・姿勢等を表現することがある。
【００２５】
この図１に示すように、釣り具１は、海底にへばりつくように生息しているナマコやサザエなどの獲物２を引っ掛けるためのものであって、錘（取付部材に相当する。）１１と、棒状部材１２と、傘針（針体に相当する。）１３と、環状部１４とから構成されている。
【００２６】
錘１１は、鉛製であって、種々の形状を取りうるが、ここでは全体視で略紡錘形をしている部材である。この錘１１は、釣り具１を海中に投じたときに、その釣り具１が潮流等で邪魔されずに自重で沈降していき、速やかに獲物２の上方にくるように、適当な重さとしている。
【００２７】
棒状部材１２は、例えばステンレス製の針金そのものであって、ともに可撓性を有するものである。ここでは同一線径、かつ同一長さの針金を２本折り返して使用している。
【００２８】
傘針１３は、例えばステンレス製の針金細工であって、市販のものを使用することができる。ここでは傘針１３を棒状部材１２の先端側に２個ずつ連続して倒立状態で取り付けている。なお、各図では簡素化しているが、各傘針１３の実際の形状は、例えば逆Ｗ字状の針を７本ずつ束ねて形成されたものであって、各針先はその底部から見て３６０°を等分に分割した方向にあって、それぞれ折り返されて斜め後方に広がるようにして延びている。
【００２９】
具体的には、棒状部材１２の先端を、傘針１３，１３の軸芯に形成された図示しない貫通孔に順次に挿通していき、それぞれを接着材などで固定する。この固定を確実にするために、いわゆる抜け止めを設けてもよい。
【００３０】
このとき、棒状部材１２は、錘１１の下部からさらに下方に向けて漸次に拡開しており、いわば正四角錘の稜線をなしている。したがって、棒状部材１２の各先端の傘針１３が、仮想の正方形の各隅部となるように配置されている。ここで、隣り合う棒状部材１２同士がなす狭角（拡開角度に相当する。）θは、棒状部材１２を手で折り曲げることで、狙うべき獲物２の外形寸法に応じてラフに調整できるようになっている（後述する図３参照）。
【００３１】
この拡開角度θが過大となると、棒状部材１２の先端に取り付けられた傘針１３の傾斜も過大となって、獲物２の胴体に傘針１３を突き刺しにくくなると考えられる。したがって、そのような場合には、棒状部材１２を少し長目にして、上記角度を小さ目に調整できる。ただし、使用時の利便性などを考慮すると、釣り具１があまり大型化しない範囲で調整するのが好ましい。
【００３２】
環状部１４は、錘１１に固定する。具体的には、環状部１４を、錘１１の軸心を貫通する図示しない貫通孔に挿入し、錘１１の上下端部でカシメることで固定している。
【００３３】
この釣り具１は、たとえば図２に示すように、錘１１の上部に突出した環状部１４が釣り糸３１の先端に結束されている。この釣り糸３１は、釣り竿３の先端に取り付けられた環状部材３０を通して、その釣り竿３の長手方向の中間部分に取り付けられたリール３２で巻き掛けられている。なお、釣り具１の重量を考慮して、釣り竿３は通常よりも太目のものを使用し、かつ釣り糸３１も通常よりも太目ものものを使用するのが好ましい。
【００３４】
以下、この釣り具１を釣り竿３に取り付けた場合の使用方法を説明する。なお、図３は本実施形態２に係る釣り具１で獲物２を釣り上げる前の状態を示す正面図、図４は本実施形態２に係る釣り具１で獲物２を釣り上げたときの状態を示す正面図である。
【００３５】
一般の釣り人である本釣り具１の使用者は、偏光グラスなどを通して海底などに生息しているナマコやサザエなどの獲物２を見つけてそれに狙いをつけておく。そして、釣り竿３を獲物２の上方に固定し、そっと釣り具１を海中に投じて沈降させる。
【００３６】
このときの釣り具１の状態は、図３に示すように、隣り合う棒状部材１２同士間の拡開角度θは、狙った獲物（図外。）の外形寸法よりも若干狭く調整されている。
【００３７】
やがて、本釣り具１が獲物２に到達すると、錘１１の重量で獲物２を上側から押圧するので、図４に示すように、錘１１まわりで棒状部材１２同士間の拡開角度θ’がさらに大きくなり、獲物２を傘針１３で抱え込むようになる。このとき、傘針１３はいずれも斜め上向きとなっているので、獲物２の捕獲を阻害することはない。このようにして、獲物２を簡単かつ確実に捕獲することができる。
【００３８】
ついで、使用者が釣り竿３のリール３２を操作して釣り糸３１を巻き上げることで、獲物２を棒状部材１２で抱え込んだ状態で釣り具１を引き上げる。すると、傘針１３が獲物２に引っ掛かり、獲物２が脱落することがない（この場合、獲物２が傘針１３で傷つくことはほとんどないといえる）。
【００３９】
そして、使用者が捕獲した獲物２を陸に引き上げた後、釣り竿３を振動させるなどして、釣り具１に適当な衝撃力を与えるだけで、獲物２を傘針１３からばらして簡単に取り除くことができる。このようにして、獲物２に手を触れることなく、獲物２を釣り具から簡単に外すことができる。特に、ナマコは手で触れたくないという使用者に対して、まったく手を触れずに、ナマコ釣りを楽しむことができるので、便利である。
【００４０】
以上説明したように、本実施形態１の釣り具１によれば、傘針１３を４本の可撓性を有する棒状部材１２の先端側にそれぞれ取り付けるとともに、棒状部材１２を傘針１３が少なくとも内側に向くようにして、かつ錘１１まわりに漸次に拡開するようにして取り付けたので、海底などに生息しているナマコやサザエなどの獲物２を簡単かつ確実に捕獲することができる。また、本釣り具１の錘１１を、釣り糸３１を介して長尺の釣り竿３の先端から繰り出し自在に取り付けたので、使用者が例えば一般の釣り人である場合には、一般的な釣りの感覚でもって、かかる獲物を楽しみながら捕獲することができる。
【００４１】
（実施形態２）
ところで、本釣り具の使用者が漁師である場合には、以下の実施形態２が好適である。なお、図５は本実施形態２に係る釣り具１を竹竿４の先端に直接取り付けた状態を示す説明図である。図１〜図３については、上記実施形態１と共通するので、以下では、その詳細な説明を省略する。
【００４２】
ここでは、図５に示すように、釣り具１の錘（取付部材に相当する。）１１を竹竿（竿状部材に相当する。）４の先端に直接取り付けることとしている。この場合には、竹竿４の先端４０に錘１１の環状部１４を押し込んでいくだけで、簡単に取り付けることができる。そして、釣り具１の錘１１の環状部１４を竹竿４の先端４０に一旦押し込んだ場合には、その環状部１４の弾性復帰力でもって、竹竿４の先端４０から容易には外れないものとなるが、必要に応じて、いわゆる抜け止めを設けてもよい。抜け止めは、例えば竹竿４の先端４０に形成した左右貫通孔から環状部１４に紐を通すことで、その環状部１４を竹竿４の先端４０に固定するものである。
【００４３】
この場合には、使用者が、竹竿４を手で持ってナマコやサザエなどの獲物２に狙いをつけ、竹竿４を突き出すようにして、その先端の釣り具１で獲物２を上側から押圧する。すると、錘１１まわりで棒状部材１２がさらに広がって獲物２を傘針１３で抱え込むようになる。このとき、傘針１３は斜め上向きとなっているので、獲物２の捕獲を阻害することはない。
【００４４】
そして、獲物２を棒状部材１２で抱え込んだ状態で、使用者が、竹竿４を手繰り寄せることで、釣り具１を引き上げると、傘針（針体に相当する。）１３が獲物２に引っ掛かり、獲物２が脱落することがない（この場合、獲物２が傘針１３で傷つくことはほとんどないといえる）。このようにして、獲物２を簡単かつ確実に捕獲することができる。
【００４５】
そして、捕獲した獲物２を陸に引き上げた後、使用者が竹竿４を振動させて、釣り具１に適当な衝撃力を与えるだけで、獲物２を傘針１３からばらして簡単に取り除くことができる。このようにして、獲物２に手を触れることなく、獲物２を釣り具から簡単に外すことができるので、便利である。
【００４６】
以上説明したように、本実施形態２によれば、上記実施形態１の釣り具１自体の作用効果に加えて、本釣り具１の錘１１を、長尺の竹竿４の先端４０に直接取り付けたので、使用者が例えば漁師である場合には、かかる獲物２を効率的に捕獲することができる。
【００４７】
なお、上記実施形態１，２では、釣り具１の錘１１まわりの棒状部材１２間の拡開角度θを調整しているが、棒状部材１２の材料がステンレス鋼などの場合には、スプリングバックが大きいので、適切な拡開角度θへの調整が難しい。例えば、棒状部材１２間に嵌めて、その長手方向にスライド可能なスライド部材を内設しておき、このスライド部材の位置を棒状部材１２の長手方向にスライドさせることで、スプリングバックを考慮することなく簡単かつ正確に調整できる。これにより、さまざまな獲物２を捕獲することができて便利である。
【００４８】
また、上記実施形態１，２では、針体は傘針１３であるとしているが、針体は錘１１を中心として棒状部材１２が取り付けられたときに、少なくとも内側に向かう方向にあればよい。ただし、傘針１３であるとすると、かりに棒状部材１２がねじられた状態で錘１１に取り付けられたとしても、常に傘針１３の針先のいずれかが内側に向かうこととなり、釣り具１の製作が容易となる。また、傘針１３は棒状部材１２の長手方向に二重に取り付けられているが、少なくとも棒状部材１２の先端に取り付けられていればよい。ただし、二重に取り付けられると、獲物２に確実に捕獲することができる。また、三重以上としてもよいのはもちろんであるが、製作コスト等を考慮すると、二重に設けるのが好ましい。
【００４９】
また、上記実施形態１，２では、釣り具１の棒状部材１２は２本の針金を折り返して環状部１４を形成したものであって、その環状部１４を錘１１に取り付けているから、棒状部材１２は４本あるが、この棒状部材１２は少なくとも２本あればよい。ただし、本発明者が、獲物２としてのナマコを釣り上げたときの経験によると、棒状部材１２を４本として、互いに等間隔とするのが最適であった。すなわち、このときには、ナマコを確実に捕獲することができた。ナマコは一旦取り逃がすと、二度と捕獲することができないという性質を持っているから、いかに確実に捕獲するかで、その捕獲量が大きく影響される。
【００５０】
また、上記実施形態２では、上記実施形態１と同様、取付部材として錘１１を使用しているが、その場合には、両実施形態１，２間で釣り具１を共用できて便利である。ただし、上記実施形態２では、上記実施形態１と異なり、釣り具１には錘１１を必要としないから、取付部材として軽量部材などを使用することも考えられる。
【００５１】
また、上記実施形態２，３では、ナマコやサザエなどの水底に生息する獲物を捕獲の対象としているが、本発明は、さらに水底に沈んだものの捜索などにも応用できることはいうまでもない。
【符号の説明】
【００５２】
１  釣り具
１１  錘（取付部材に相当する。）
１２  棒状部材
１３  傘針（針体に相当する。）
１４  環状部
２  獲物
３  釣り竿（竿状部材に相当する。）
３０  環状部材
３１  釣り糸
３２  リール
４  竹竿（竿状部材に相当する。）
４０  先端
θ，θ’  拡開角度
【先行技術文献】
【特許文献】
【００５３】
【特許文献１】特開２００５−１１０５５１号公報
【図１】
2011239751.tif 000003
【図２】
2011239751.tif 000004
【図３】
2011239751.tif 000005
【図４】
2011239751.tif 000006
【図５】
2011239751.tif 000007
【手続補正書】
【提出日】平成22年9月30日(2010.9.30)
【手続補正１】
【補正対象書類名】特許請求の範囲
【補正対象項目名】全文
【補正方法】変更
【補正の内容】
【特許請求の範囲】
【請求項１】
餌を付けずに水底に生息するナマコを針体に引っ掛けて釣る釣り具において、
前記針体を、複数本の可撓性を有する棒状部材の先端側に該針体が斜め後方に向くようにしてそれぞれ取り付けるとともに、
前記棒状部材を、所定の取付部材に取り付けておき、ナマコが押圧されることにより、該取付部材まわりで前記棒状部材が漸次に拡開させられたときに、前記針体が少なくとも内側に向いて前記ナマコを抱え込むようになしたことを特徴とする釣り具。
【請求項２】
ナマコが押圧される前の状態における棒状部材の拡開角度が、狙った獲物とされるナマコの外形寸法に応じて調整可能であることを特徴とする請求項１記載の釣り具。
【請求項３】
前記針体は傘針であって、該傘針を前記棒状部材の長手方向に多重に取り付けたことを特徴とする請求項１又は２記載の釣り具。
【請求項４】
前記棒状部材は４本であって、該棒状部材をその先端が仮想の正方形の各隅部となるように配置したことを特徴とする請求項１〜３のいずれか１項に記載の釣り具。
【請求項５】
前記取付部材は錘であって、該錘を釣り糸を介して長尺の竿状部材の先端から繰り出し自在に取り付けたことを特徴とする請求項１〜４のいずれか１項に記載の釣り具。
【請求項６】
前記取付部材を、長尺の竿状部材の先端に直接取り付けたことを特徴とする請求項１〜４のいずれか１項に記載の釣り具。
【手続補正２】
【補正対象書類名】明細書
【補正対象項目名】０００８
【補正方法】変更
【補正の内容】
【０００８】
本発明は、餌を付けずに水底に生息するナマコを針体に引っ掛けて釣る釣り具において、前記針体を、複数本の可撓性を有する棒状部材の先端側に該針体が斜め後方に向くようにしてそれぞれ取り付けるとともに、前記棒状部材を、所定の取付部材に取り付けておき、ナマコが押圧されることにより、該取付部材まわりで前記棒状部材が漸次に拡開させられたときに、前記針体が少なくとも内側に向いて前記ナマコを抱え込むようになしたことを特徴とするものである。
【手続補正３】
【補正対象書類名】明細書
【補正対象項目名】０００９
【補正方法】変更
【補正の内容】
【０００９】
本発明によれば、前記針体を、複数本の可撓性を有する棒状部材の先端側に該針体が斜め後方に向くようにしてそれぞれ取り付けるとともに、前記棒状部材を、所定の取付部材に取り付けておき、ナマコが押圧されることにより、該取付部材まわりで前記棒状部材が漸次に拡開させられたときに、前記針体が少なくとも内側に向いて前記ナマコを抱え込むようになしたので、海底などに生息しているナマコ（獲物）に狙いをつけておき、当該釣り具で獲物を上側から押圧すると、取付部材まわりで棒状部材がさらに広がって獲物を針体で抱え込むようになる。このとき、針体は上向きとなっているので、獲物の捕獲を阻害することはない。このようにして、獲物を簡単かつ確実に捕獲することができる。
【手続補正４】
【補正対象書類名】明細書
【補正対象項目名】００１０
【補正方法】変更
【補正の内容】
【００１０】
また、獲物を棒状部材の針体で抱え込んだ状態で釣り具を引き上げると、針体が獲物に引っ掛かり、獲物が脱落することがない（この場合、獲物が針体で傷つくことはほとんどないといえる）。そして、捕獲した獲物を陸に引き上げた後、釣り具に適当な衝撃力を与えるだけで獲物を針体からばらして簡単に取り除くことができる。このようにして、獲物に手を触れることなく、獲物を釣り具から簡単に外すことができるので、便利である。
【手続補正５】
【補正対象書類名】明細書
【補正対象項目名】００１１
【補正方法】変更
【補正の内容】
【００１１】
請求項２記載の発明のように、ナマコが押圧される前の状態における棒状部材の拡開角度が、狙った獲物とされるナマコの外形寸法に応じて調整可能であることが好ましい。
【手続補正６】
【補正対象書類名】明細書
【補正対象項目名】００１２
【補正方法】変更
【補正の内容】
【００１２】
請求項２記載の発明によれば、ナマコが押圧される前の状態における棒状部材の拡開角度が、狙った獲物とされるナマコの外形寸法に応じて調整可能であるので、狙った獲物の外形寸法に応じて当該角度を調整することで、さまざまな獲物を捕獲することができて便利である。
【手続補正７】
【補正対象書類名】明細書
【補正対象項目名】００２１
【補正方法】変更
【補正の内容】
【００２１】
本発明によれば、前記針体を、複数本の可撓性を有する棒状部材の先端側に該針体が斜め後方に向くようにしてそれぞれ取り付けるとともに、前記棒状部材を、所定の取付部材に取り付けておき、ナマコが押圧されることにより、該取付部材まわりで前記棒状部材が漸次に拡開させられたときに、前記針体が少なくとも内側に向いて前記ナマコを抱え込むようになしたので、海底などに生息しているナマコ（獲物）に狙いをつけておき、当該釣り具で獲物を上側から押圧すると、取付部材まわりで棒状部材がさらに広がって獲物を針体で抱え込むようになる。このとき、針体は上向きとなっているので、獲物の捕獲を阻害することはない。このようにして、獲物を簡単かつ確実に捕獲することができる。
【手続補正８】
【補正対象書類名】明細書
【補正対象項目名】００２２
【補正方法】変更
【補正の内容】
【００２２】
また、獲物を棒状部材の針体で抱え込んだ状態で釣り具を引き上げると、針体が獲物に引っ掛かり、獲物が脱落することがない（この場合、獲物が針体で傷つくことはほとんどないといえる）。そして、捕獲した獲物を陸に引き上げた後、釣り具に適当な衝撃力を与えるだけで獲物を針体からばらして簡単に取り除くことができる。このようにして、獲物に手を触れることなく、獲物を釣り具から簡単に外すことができるので、便利である。